(57)【特許請求の範囲】
【請求項１】
二つのアームとそれらに枢支された少なくとも１枚の羽根とで構成されている一つ又は二つのシャッタ羽根と、鉄芯部材とコイルとからなる一つ又は二つの電磁石と、鉄片部材を取り付けておりセット時には該鉄片部材を前記鉄芯部材に接触させ撮影時には前記コイルへの通電によって該鉄片部材を前記鉄芯部材に吸着保持されてその通電が遮断されると前記鉄芯部材から離反させられて駆動ばねにより前記シャッタ羽根を作動させる一つ又は二つの取付部材と、セット時には初期位置から作動して前記取付部材を前記駆動ばねの付勢力に抗してセット位置まで作動させ撮影時には前記シャッタ羽根が作動される前までに初期位置へ復帰させられるセット部材と、を備えており、前記鉄片部材は、前記取付部材の取付孔に嵌合させた軸部と、該軸部の一端に設けられていて前記鉄芯部材に接触させる鉄片部と、該軸部の他端に設けられた抜け止め用の鍔部とからなっていて、前記取付孔と前記鍔部の間において前記軸部をカラー部材に形成された孔に嵌合させており、前記取付部材の前記カラー部材が取り付けられた面は、前記カラー部材に向けて凸となる円弧面に形成され、前記カラー部材の前記鍔部側には前記鍔部に向けて凸となり且つ前記円弧面の頂部の稜線方向に対して略直交する方向の頂部の稜線を有する円弧面が形成されていることを特徴とするカメラ用フォーカルプレンシャッタ。
【請求項２】
二つのアームとそれらに枢支された少なくとも１枚の羽根とで構成されている一つ又は二つのシャッタ羽根と、鉄芯部材とコイルとからなる一つ又は二つの電磁石と、鉄片部材を取り付けた取付部材を少なくとも含んでいてセット時には該鉄片部材を前記鉄芯部材に接触させ撮影時には前記コイルへの通電によって該鉄片部材を前記鉄芯部材に吸着保持されてその通電が遮断されると前記鉄芯部材から離反させられて駆動ばねにより前記シャッタ羽根を作動させる一つ又は二つの駆動手段と、セット時には初期位置から作動して前記駆動手段を前記駆動ばねの付勢力に抗してセット位置まで作動させ撮影時には前記シャッタ羽根が作動される前までに初期位置へ復帰させられるセット部材と、を備えており、前記鉄片部材は、前記取付部材の取付孔に嵌合させた軸部と、該軸部の一端に設けられていて前記鉄芯部材に接触させる鉄片部と、該軸部の他端に設けられた抜け止め用の鍔部とからなっていて、前記取付孔と前記鍔部の間において前記軸部をカラー部材に形成された孔に嵌合させており、前記取付部材の前記カラー部材が取り付けられた面は、前記カラー部材に向けて凸となる円弧面に形成され、前記カラー部材の前記鍔部側には前記鍔部に向けて凸となり且つ前記円弧面の頂部の稜線方向に対して略直交する方向の頂部の稜線を有する円弧面が形成されていることを特徴とするカメラ用フォーカルプレンシャッタ。
【請求項３】
前記取付部材は、前記シャッタ羽根に連結していて撮影時には前記駆動ばねの付勢力によって回転させられ、前記セット部材は、セット時に前記取付部材を前記駆動ばねの付勢力に抗して回転させて前記鉄片部材を前記鉄芯部材に接触させ撮影時には前記コイルへの通電後に初期位置へ復帰するようにしたことを特徴とする請求項１に記載のカメラ用フォーカルプレンシャッタ。
【請求項４】
前記駆動手段が、前記シャッタ羽根に連結していて撮影時には前記駆動ばねの付勢力によって回転させられる駆動部材と、前記駆動部材をセット位置で係止する係止部材と、撮影時に前記コイルへの通電が遮断されると前記係止部材による前記駆動部材の係止を解く前記取付部材と、セット時には前記取付部材を押圧して前記鉄片部材を前記鉄芯部材に接触させ前記コイルに通電された後にはその押圧を解くホールド部材と、を備えていることを特徴とする請求項２に記載のカメラ用フォーカルプレンシャッタ。
【請求項５】
前記駆動手段が、前記シャッタ羽根に連結していて撮影時には前記駆動ばねの付勢力によって回転させられる駆動部材と、前記駆動部材をセット位置で係止する係止部材と、セット時には前記駆動部材と共に前記セット部材により前記セット位置まで作動され撮影時には前記セット部材が初期位置へ復帰した後に前記コイルへの通電が遮断されると前記係止部材による前記駆動部材の係止を解く前記取付部材と、を備えていることを特徴とする請求項２に記載のカメラ用フォーカルプレンシャッタ。
【請求項６】
前記取付部材の前記カラー部材が取り付けられた面には、前記円弧面の代わりに、二つの突部が、前記取付孔を間にして、該円弧面の頂部に相当する位置に形成されていることを特徴とする請求項１乃至５のいずれかに記載のカメラ用フォーカルプレンシャッタ。
【請求項７】
前記軸部に嵌合させる前記カラー部材の前記孔が、該カラー部材の円弧面の頂部の稜線方向に対して略直交する方向に長い長孔として形成されていることを特徴とする請求項１乃至６のいずれかに記載のカメラ用フォーカルプレンシャッタ。
【請求項８】
前記カラー部材が、金属製であることを特徴とする請求項１乃至７のいずれかに記載のカメラ用フォーカルプレンシャッタ。
【請求項９】
前記カラー部材が、合成樹脂製であることを特徴とする請求項１乃至７のいずれかに記載のカメラ用フォーカルプレンシャッタ。
【請求項１０】
前記カラー部材は、前記鍔部側となる面の前記孔の周囲に凹部を有していて、前記円弧面が該凹部内に形成されていることを特徴とする請求項９に記載のカメラ用フォーカルプレンシャッタ。
【発明の詳細な説明】
【技術分野】
【０００１】
本発明は、一つ又は二つのシャッタ羽根を備えているカメラ用フォーカルプレンシャッタに関する。
【背景技術】
【０００２】
カメラ用フォーカルプレンシャッタの中には、二つのシャッタ羽根（先羽根，後羽根）と、一つのシャッタ羽根を備えたものとが知られている。そして、二つのシャッタ羽根を備えたものは、銀塩フィルムカメラにも、デジタルカメラにも採用されているが、一つのシャッタ羽根を備えたものは、デジタルカメラにだけ採用されている。また、いずれのフォーカルプレンシャッタであっても、各々のシャッタ羽根は、シャッタ地板の羽根室側の面に対しそれらの一端を個々に枢着した二つのアームと、それらのアームの両方に枢支された少なくとも１枚の羽根とで構成されている。
【０００３】
また、シャッタ地板の羽根室外の面には、シャッタ羽根用の駆動部材が回転可能に取り付けられており、その駆動ピンが、羽根室内でシャッタ羽根の一方のアームに連結されている。この駆動部材は、撮影時には、駆動ばねの付勢力によって回転させられて、シャッタ羽根を急速に走行させ、セット時には、セット部材によって駆動ばねの付勢力に抗して回転させられ、シャッタ羽根をセット状態に復帰させるようにしている。そして、その駆動部材は、撮影時には、電磁石への通電を断つことによって、上記のように回転を開始するようになっているが、その直前までの駆動部材の保持構成には、係止タイプと称されているものと、ダイレクトタイプと称されているものとがある。
【０００４】
それらのうち、係止タイプの代表的なものとしては、下記の特許文献１に記載のシャッタ羽根駆動機構と特許文献２に記載の制御機構とからなる構成のもの（但し、特許文献１と特許文献２とでは、先羽根系と後羽根系の配置が逆になっている）と、特許文献３に記載されている構成のものとがある。そして、前者の構成のものは、係止部材によって係止されている駆動部材を、撮影時において解除するために、解除部材（特許文献２における開き鉄片レバー４，閉じ鉄片レバー７）を備えており、また、撮影時において電磁石のコイル（特許文献２における電磁石コイル２，３）に通電されるまでは、その解除部材に取り付けられている鉄片部材（特許文献２における鉄片４ａ，７ａ）を、電磁石の鉄芯部材に対して接触状態にしておくようにするために、ホールド部材（特許文献２における第一ホールドレバー１０）を備えているものである。また、後者の構成のものは、上記のような接触状態を維持させておくためにホールド部材を設ける必要がなく、その役目を、駆動部材のセット部材に直接負わせるようにしたものである。
【０００５】
他方、ダイレクトタイプと称されているものは、上記の係止タイプのもののように、ホールド部材のほか、係止部材や解除部材も備えておらず、下記の特許文献４，５に記載されているように、鉄片部材は、駆動部材に取り付けられており、撮影時において電磁石のコイルに通電されるまでは、セット部材が、駆動ばねの付勢力に抗して、駆動部材をセット状態に維持し、電磁石の鉄芯部材と鉄片部材との接触状態を維持させておくようにしたものである。
【０００６】
ところで、これらの構成をしたフォーカルプレンシャッタは、シャッタ羽根を一つ備えているものであっても二つ備えているものであっても、また、係止タイプのものであってもダイレクトタイプのものであっても、電磁石が鉄片部材の吸着保持を開始するのは、上記したように、レリーズ直後の撮影開始直前段階において、電磁石のコイルに通電されたときである。そのため、この通電開始時において、もしも、鉄片部材の被吸着面が電磁石の吸着面に対して傾いていて、両方の面が密接していないときには、電磁石による十分な吸着保持力が得られず、所定のタイミングよりも早期に、駆動部材が駆動ばねの付勢力によって回転を開始し、シャッタ羽根に露光作動を開始させてしまうという事態が発生する。そこで、セット状態においては、鉄片部材の被吸着面と電磁石の吸着面とが必ず密接状態になっているようにするために、鉄片部材の取付構成を工夫する方法や、電磁石の取付構成を工夫する方法が数多く提案されているが、それらのうち、駆動部材に対する鉄片部材の取付構成に工夫をしたものが、下記の特許文献４，５に記載されている。
【０００７】
特許文献４，５に記載されている構成の場合、鉄片部材は、軸部（特許文献４においては鉄片軸）の一端に鉄片部（特許文献４においては鉄片）を有し、他端には鍔部（特許文献５においては頭部）を有した形状をしており、その軸部を、駆動部材の取付部に形成された孔に緩く嵌合させている。そして、この鉄片部材は、ばねによって、鉄片部を電磁石に向けて付勢しているため、鉄片部が電磁石の鉄芯部材に接触していないときは、鍔部が駆動部材の取付部に形成された取付孔の縁に接触している。そして、セット時において、鉄片部が電磁石の鉄芯部材に接触させられるときに、鉄芯部材の吸着面に対して鉄片部の被吸着面が傾いている場合は、その取付孔の中心線に対して鉄片部材の軸部の中心線を傾かせ、吸着面と被吸着面が密接するようになっている。ところが、このとき、鍔部も傾かされるが、鍔部の周辺部が取付孔の縁に邪魔されると、スムーズに傾くことができないことがある。そのため、そのようなことがないようにするために、特許文献４，５の図面上で明示されているように、その取付孔の縁を円弧状の面に形成することが知られている。また、そのほかには、下記の特許文献６に記載されているように、その取付孔を間にして二つの突部（凸部２３ｄ）を形成することも知られている。
【０００８】
また、取付孔の縁をそのような形状にすることは、ほかの理由からも好ましいことである。即ち、製作上の観点からは、セット時に鉄芯部材と鉄片部とが密接状態になった瞬間に、駆動部材の回転が停止するようにすることは、至難の業である。そのため、実際には、駆動部材は、上記の密接状態が確実に得られた後の出来るだけ早い時点で停止するように製作されている。そのため、セット完了状態においては、特許文献４の図３及び特許文献５の図２にも示されているように、鉄片部材の鍔部が、取付部の孔の縁から離れた状態になっている。ところが、そのように構成されているということは、撮影の初期段階において、鉄片部材が電磁石の鉄芯部材に吸着保持されてから、それまで両者の接触状態を維持させていたセット部材が逃げたとき、駆動部材は、駆動ばねの付勢力によって、取付孔の縁が鉄片部材の鍔部に当接するまで、僅かではあるが回転するということである。そして、上記のように、セット時において、鉄片部材が軸部を傾けて鉄芯部材に密接させられている場合には、このとき、取付孔の縁が、傾いている鍔部の周辺部の一部にだけ当接することになる。
【０００９】
そして、そのように、取付孔の縁が鍔部の周辺部の一部にだけ当接した場合には、その当接したときの力が、鉄片部材の被吸着面に対して垂直方向に作用せず、吸着面に対して被吸着面を傾かせるように作用するため、電磁石のコイルへ通電中であるにもかかわらず、鉄片部材を電磁石の鉄芯部材から離反させ易くなってしまい、離反させてしまうと、所定のタイミングではないにもかかわらず、駆動部材がシャッタ羽根を伴って露光作動を開始してしまうことになる。また、そのようなことが生じないようにするためには、電磁石による吸着力を大きくすれば良いことになるが、そのようにすると、電磁石が大きくなったり電池の消耗が大きくなったりしてしまう。更に、そのように、取付孔の縁が、傾いている鍔部の周辺部の一部に当接する作動を繰り返していると、取付孔の縁に傷が付いていくようになり、上記のような密接状態が得られなくなってしまう。
【００１０】
他方、そのように、取付孔の縁が、鍔部の周辺部の一部にだけ当接するように構成されていると、電磁石のコイルへの通電が断たれて、駆動部材が所定のタイミングで回転を開始するときに、取付孔の縁が鍔部の全面に接触することになるので、そのときのガタツキが、シャッタ羽根の安定した走行に影響する一因となってしまうおそれがある。従って、これらのようなことからも、特許文献４，５に記載されているように、取付孔の縁を円弧面にしたり、特許文献６に記載されているように、孔を間にして二つの突部を形成したりすることが好ましい。尚、この鉄片部材の取付構成については、ダイレクトタイプの場合を念頭において説明したが、特許文献２や特許文献３に記載されている係止タイプの場合にも、同等のことが言えることはいうまでもない。本発明は、主に、このような鉄片部材の取付構成に関するものである。
【００１１】
【特許文献１】実公平６−２４８２５号公報
【特許文献２】実公平４−３３０１号公報
【特許文献３】実公平７−３３９２号公報
【特許文献４】特開平９−３０４８０８号公報
【特許文献５】特開２００１−１８８２７９号公報
【特許文献６】実開昭５６−５３３１０号公報
【発明の開示】
【発明が解決しようとする課題】
【００１２】
特許文献４，５に記載されている鉄片部材の取付構成においては、取付孔の縁が、上記したように、円弧面に形成されている。そのため、鉄片部材が、駆動部材の回転面と平行な面上で傾く場合には好適な構成といえる。しかしながら、駆動部材の回転面に対して垂直な面上で傾く場合には、取付部の肉厚（回転面に対する垂直方向の寸法）が鍔部の直径よりも小さければ問題は小さいが、取付部の肉厚が鍔部の直径と同等か、それよりも大きいときは、好適に傾かせることができず、所期の効果を十分に発揮させることができない。このような観点から、特許文献４に記載されている図１と図６を比較してみると、明らかに、取付部の肉厚よりも、鍔部の直径の方が小さい。しかも、特許文献４に記載されている構成の場合は、実際に実施されている電磁石の構成と同様に、鉄芯部材がＵ字形をしていて二つの磁極部を有しているため、略長方形をしている鉄片部を、それらの二つの磁極部に密接させるためには、駆動部材の回転面に対して垂直な方向へも好適に傾き得る構成になっていることが要求される。また、特許文献６に記載されている鉄片部材の取付構成の場合も、鉄片部材が、一つの平面上で傾く場合には好適な構成となっているが、その面に対して垂直な方向へも好適に傾き得る構成にはなっていない。
【００１３】
本発明は、このような問題点を解決するためになされたものであり、その目的とするところは、軸部の一端に鉄片部を有し他端に鍔部を有する鉄片部材を、圧縮ばねを介在させて取り付けている部材が、電磁石の鉄芯部材に対して、その圧縮ばねの付勢力に抗して鉄片部を密着させるときには、鉄片部材の軸部が好適に傾くことができ、また、鍔部が鉄片部材の取付部から離れている状態から、鉄片部が鉄芯部材によって吸着された後、鉄片部材を取り付けている部材が、鍔部によって停止させられるまで僅かに作動したとき、鉄片部材の軸部がどのように傾いていたとしても、鍔部の外周部の一部に当接して損傷を受けたりシャッタ羽根の作動に影響を受けたりしないようにしたカメラ用フォーカルプレンシャッタを提供することである。
【課題を解決するための手段】
【００１４】
上記の目的を達成するために、本発明のカメラ用フォーカルプレンシャッタは、二つのアームとそれらに枢支された少なくとも１枚の羽根とで構成されている一つ又は二つのシャッタ羽根と、鉄芯部材とコイルとからなる一つ又は二つの電磁石と、鉄片部材を取り付けておりセット時には該鉄片部材を前記鉄芯部材に接触させ撮影時には前記コイルへの通電によって該鉄片部材を前記鉄芯部材に吸着保持されてその通電が遮断されると前記鉄芯部材から離反させられて駆動ばねにより前記シャッタ羽根を作動させる一つ又は二つの取付部材と、セット時には初期位置から作動して前記取付部材を前記駆動ばねの付勢力に抗してセット位置まで作動させ撮影時には前記シャッタ羽根が作動される前までに初期位置へ復帰させられるセット部材と、を備えており、前記鉄片部材は、前記取付部材の取付孔に嵌合させた軸部と、該軸部の一端に設けられていて前記鉄芯部材に接触させる鉄片部と、該軸部の他端に設けられた抜け止め用の鍔部とからなっていて、前記取付孔と前記鍔部の間において前記軸部をカラー部材（collar member）に形成された孔に嵌合させており、前記取付部材の前記カラー部材が取り付けられた面は、前記カラー部材に向けて凸となる円弧面に形成され、前記カラー部材の前記鍔部側には前記鍔部に向けて凸となり且つ前記円弧面の頂部の稜線方向に対して略直交する方向の頂部の稜線を有する円弧面が形成されているようにする。
【００１５】
そして、その場合、前記取付部材は、前記シャッタ羽根に連結していて撮影時には前記駆動ばねの付勢力によって回転させられ、前記セット部材は、セット時に前記取付部材を前記駆動ばねの付勢力に抗して回転させて前記鉄片部材を前記鉄芯部材に接触させ撮影時には前記コイルへの通電後に初期位置へ復帰するようにすると、ダイレクトタイプの優れたカメラ用フォーカルプレンシャッタが得られる。
【００１６】
また、上記の目的を達成するために、本発明のカメラ用フォーカルプレンシャッタは、二つのアームとそれらに枢支された少なくとも１枚の羽根とで構成されている一つ又は二つのシャッタ羽根と、鉄芯部材とコイルとからなる一つ又は二つの電磁石と、鉄片部材を取り付けた取付部材を少なくとも含んでいてセット時には該鉄片部材を前記鉄芯部材に接触させ撮影時には前記コイルへの通電によって該鉄片部材を前記鉄芯部材に吸着保持されてその通電が遮断されると前記鉄芯部材から離反させられて駆動ばねにより前記シャッタ羽根を作動させる一つ又は二つの駆動手段と、セット時には初期位置から作動して前記駆動手段を前記駆動ばねの付勢力に抗してセット位置まで作動させ撮影時には前記シャッタ羽根が作動される前までに初期位置へ復帰させられるセット部材と、を備えており、前記鉄片部材は、前記取付部材の取付孔に嵌合させた軸部と、該軸部の一端に設けられていて前記鉄芯部材に接触させる鉄片部と、該軸部の他端に設けられた抜け止め用の鍔部とからなっていて、前記取付孔と前記鍔部の間において前記軸部をカラー部材に形成された孔に嵌合させており、前記取付部材の前記カラー部材が取り付けられた面は、前記カラー部材に向けて凸となる円弧面に形成され、前記カラー部材の前記鍔部側には前記鍔部に向けて凸となり且つ前記円弧面の頂部の稜線方向に対して略直交する方向の頂部の稜線を有する円弧面が形成されているようにする。
【００１７】
そして、その場合、前記駆動手段が、前記シャッタ羽根に連結していて撮影時には前記駆動ばねの付勢力によって回転させられる駆動部材と、前記駆動部材をセット位置で係止する係止部材と、撮影時に前記コイルへの通電が遮断されると前記係止部材による前記駆動部材の係止を解く前記取付部材と、セット時には前記取付部材を押圧して前記鉄片部材を前記鉄芯部材に接触させ前記コイルに通電された後にはその押圧を解くホールド部材と、を備えているようにすると、係止タイプの優れたカメラ用フォーカルプレンシャッタが得られる。
また、前記駆動手段が、前記シャッタ羽根に連結していて撮影時には前記駆動ばねの付勢力によって回転させられる駆動部材と、前記駆動部材をセット位置で係止する係止部材と、セット時には前記駆動部材と共に前記セット部材により前記セット位置まで作動され撮影時には前記セット部材が初期位置へ復帰した後に前記コイルへの通電が遮断されると前記係止部材による前記駆動部材の係止を解く前記取付部材と、を備えているようにすると、上記とは異なる種類の係止タイプの優れたカメラ用フォーカルプレンシャッタが得られる。
【００１８】
そして、それらのフォーカルプレンシャッタの場合、前記取付部材の前記カラー部材が取り付けられた面には、前記円弧面の代わりに、二つの突部が、前記取付孔を間にして、該円弧面の頂部に相当する位置に形成されているようにしてもよい。また、前記軸部に嵌合させる前記カラー部材の前記孔が、該カラー部材の円弧面の頂部の稜線方向に対して略直交する方向に長い長孔として形成されているようにすると、鉄片部材がスムーズに傾き得るようになる。更に、前記カラー部材は、金属製であっても、合成樹脂製であってもよいが、合成樹脂製にする場合には、前記鍔部側となる面の前記孔の周囲に凹部を有していて、前記円弧面が該凹部内に形成されているようにすると、一層好ましい形状になる。
【発明の効果】
【００１９】
本発明は、軸部の一端に鉄片部を有し他端に鍔部を有している鉄片部材が、セット時においては、その鉄片部の被吸着面を、電磁石の鉄芯部材の吸着面に対して、ばねの付勢力に抗して密接状態にさせられ、カメラのレリーズ時における初期段階において、電磁石のコイルに通電されたとき鉄芯部材に吸着保持され、その後、通電が断たれると鉄芯部材から離反することによって、駆動部材によるシャッタ羽根の走行を可能にしたカメラ用フォーカルプレンシャッタにおいて、鉄片部材の取付孔の縁の形状を従来のように円弧面としておいて、鉄片部材の軸部に、特別な形状をしたカラー部材を、その円弧面と鍔部に接触し得るようにして嵌合させるようにしたため、鉄片部材の鉄片部が鉄芯部材に密接状態にさせられるとき鉄片部材の軸部がスムーズに傾くことができ、また、鉄片部が鉄芯部材に密接状態にさせられたとき、軸部がどのように傾いた場合でも、その後、鍔部の外周部の一部だけが、鉄片部材の取付部に当接するようなことがなくなり、シャッタ羽根の露光作動が常に安定して得られるようになるという特徴がある。
【発明を実施するための最良の形態】
【００２０】
本発明の実施の形態を、二つの実施例によって説明する。本発明は、上記したように、一つのシャッタ羽根を備えたフォーカルプレンシャッタにも、二つのシャッタ羽根を備えたフォーカルプレンシャッタにも適用することができるし、係止タイプのフォーカルプレンシャッタにも、ダイレクトタイプのフォーカルプレンシャッタにも適用することができるが、実施例１は、二つのシャッタ羽根を備えたダイレクトタイプのフォーカルプレンシャッタとして構成したものであり、実施例２は、二つのシャッタ羽根を備えた係止タイプのフォーカルプレンシャッタとして構成したものである。
【実施例１】
【００２１】
図１〜図９を用いて、実施例１を説明する。そして、図１は、露光作動を開始する直前の状態を示した平面図である。また、図２は、図１の状態における先羽根用駆動部材の拡大平面図であり、図３は、先羽根用駆動部材を図２の右側から見て一部を省略して示した側面図である。また、図４は、先羽根用駆動部材に取り付けられているカラー部材を示したものであって、図４（ａ）はその平面図であり、図４（ｂ）は図４（ａ）のＡ―Ａ線断面図である。また、図５は、先羽根用駆動部材に対するカラー部材と鉄片部材８の取付け状態を示した斜視図であり、図５（ａ）は鉄片部材の鍔部側から見た図であり、図５（ｂ）は鉄片部材の鉄片部側から見た図である。また、図６は、露光作動の終了直後の状態を示した平面図であり、図７は、セット状態を示した平面図である。更に、図８及び図９は、先羽根用駆動部材に取り付けられている鉄片部材の軸部が傾いた状態を示したものであって、図８（ａ）は図２に示された状態から反時計方向へ傾いた状態を示したものであり、図８（ｂ）は図２に示された状態から時計方向へ傾いた状態を示したものであり、図９（ａ）は図３に示された状態から反時計方向へ傾いた状態を示したものであり、図９（ｂ）は図３に示された状態から時計方向へ傾いた状態を示したものである。尚、図１,図６,図７の平面図は、いずれも、被写体側から見て左側の約半分を示したものである。
【００２２】
先ず、本実施例の構成を説明する。図１において、シャッタ地板１には、その略中央部に長方形を横長にした被写体光路用の開口部１ａが形成されているが、図１は本実施例を被写体側から見て左側の約半分を示したものであるから、開口部１ａもその一部だけが示されている。シャッタ地板１の背面側には、図示していない中間板と補助地板が、所定の間隔を空けて順に取り付けられており、シャッタ地板１と中間板の間に、後述する先羽根の羽根室を構成し、中間板と補助地板の間に、後述する後羽根の羽根室を構成している。また、周知のように、それらの中間板と補助地板は、シャッタ地板１と略同じ大きさをしていて、開口部１ａと重なる領域に被写体光路用の開口部を有しているが、本実施例の場合には、開口部１ａが露光開口を規制している。
【００２３】
シャッタ地板１は、開口部１ａの左側に、円弧状の二つの長孔１ｂ，１ｃを有している。そして、それらの長孔１ｂ，１ｃの上端部には、ゴム製であって平面形状がＣ字状をしている周知の緩衝部材２,３が取り付けられている。また、シャッタ地板１の被写体側、即ち表面側には、軸１ｄ,１ｅ，１ｆが立設されており、背面側には軸１ｇ,１ｈ，１ｉ，１ｊが立設されているが、それらのうち、軸１ｄと軸１ｇ、及び軸１ｅと軸１ｈは、同心上に立設されている。シャッタ地板１には、このほかにも表面側に図示していない複数の軸が立設されていて、それらの先端に、シャッタ地板１と平行になるようにして、図示していない支持板とプリント配線板とが重ねて取り付けられている。そして、その支持板のシャッタ地板１側には先羽根用電磁石と後羽根用電磁石が取り付けられているが、各図においては、先羽根用電磁石の鉄芯部材４と後羽根用電磁石の鉄芯部材５だけを二点鎖線で示してある。図３に示されているように、それらの鉄芯部材４,５は、コ字状をしており、二つの脚部の先端を磁極部とし、一方の脚部に図示していないコイルを巻回している。
【００２４】
シャッタ地板１の上記の軸１ｄには、合成樹脂製の先羽根用駆動部材（取付部材）６が、回転可能に取り付けられており、図示していない先羽根用駆動ばねによって、反時計方向へ回転するように付勢されている。図２は、その先羽根用駆動部材６を、図１の状態で拡大して示したものであり、図３は、その先羽根用駆動部材６を、図２の右側から見て示したものである。そして、この先羽根用駆動部材６は、軸１ｄに嵌合させる筒部６ａと、駆動ピン６ｂと、取付部６ｃとを有しているほか、ローラー６ｄを取り付けているが、それらのうち、筒部６ａは、図３において、一部だけが示されている。また、駆動ピン６ｂは、シャッタ地板１側に設けられていて上記の長孔１ｂを貫通しているが、断面形状が円形をしている根元部は、上記の緩衝部材２に当接し得るようになっており、断面形状が小判型をしている先端部は、羽根室内で後述する先羽根に連結されている。
【００２５】
先羽根用駆動部材６の取付部６ｃは、図３から明らかなように、被写体側に高く形成されているが、図１においては、内部をわかり易くするために、シャッタ地板１と平行に切断した断面で示してある。以下、この取付部６ｃの形状と、そこに取り付けられている部材について説明するが、その説明のために取付部６ｃに用いる細部の部位符号は、図２及び図３においてだけ付けることにする。図３に示されているように、この取付部６ｃには、左側を開放している収容室６ｃ−１が形成されていると共に、その収容室６ｃ−１から右側へ貫通させた取付孔６ｃ−２が形成されている。そして、その収容室６ｃ−１は、２段部屋になっていて、大きい部屋の上方は、図２に示されているように開放されているが、図５及び図６においては、この開放部の図示が省略されている。図３に示されているように、取付孔６ｃ−２の上方箇所には、その大きな部屋から右側へ貫通させた孔６ｃ−３が形成されている。また、取付部６ｃの右側の面は、図２から分かるように、円弧面６ｃ−４に形成されており、その円弧面６ｃ−４は、取付孔６ｃ−２の両側に存在する頂部の稜線が、シャッタ地板１に対して略垂直となるように形成されている。尚、本実施例の場合には、取付部６ｃの右側の面（図２における上側の面）が全て円弧面に形成されているが、取付孔６ｃ−２の縁の近傍領域がそのような円弧面になっているだけでもよい。
【００２６】
このような形状をした取付部６ｃには、カラー部材７と、鉄片部材８と、圧縮ばね９とが取り付けられている。そこで先ず、図４に示されているカラー部材７は、図４（ａ）に示されているように、略中央部に孔７ａを形成していて、その孔７ａの左右両側には、それらの形状が図４（ｂ）から分かるような弧状部７ｂ，７ｂを有しており、孔７ａの上方には、折曲部７ｃを有している。そして、カラー部材７が、図３に示されているように、その折曲部７ｃを上記の孔６ｃ−３に緩く挿入した状態においては、弧状部７ｂ，７ｂの円弧面の頂部の稜線が、上記の円弧面６ｃ−４の頂部の稜線と直交するようになる。また、本実施例の場合、孔７ａは円形ではなく、弧状部７ｂ，７ｂの円弧面の頂部の稜線に対して略直交する方向に若干長い長孔として形成されている。尚、このカラー部材７の部位符号は、図２〜図４においてだけ付けてあり、他の図面では省略されている。
【００２７】
次に、鉄片部材８は、取付部６ｃの取付孔６ｃ−２とカラー部材７の孔７ａに緩く嵌合している軸部８ａと、その軸部８ａの一端に取り付けられていてその一部が上記収容室６ｃ−１に収容されている鉄片部８ｂと、軸部８ａの他端に形成されている鍔部８ｃとからなっていて、収容室６ｃ−１内において軸部８ａに嵌装されている圧縮ばね９によって鉄片部８ｂを収容室６ｃ−１から突き出す方向へ付勢されている。そして、鉄片部８ｂは、常に全面を収容室６ｃ−１外に臨ませている面を、上記の鉄芯部材４の二つの磁極部に対する被吸着面としている。図５は、このようにして、カラー部材７と鉄片部材８とが先羽根用駆動部材６の取付部６ｃに取り付けられている状態を示した斜視図であり、図５（ａ）は、鉄片部材８の鍔部８ｃ側から見た図であり、図５（ｂ）は、鉄片部材８の鉄片部８ｂ側から見た図である。
【００２８】
図１において、シャッタ地板１の上記の軸１ｅには、合成樹脂製の後羽根用駆動部材（取付部材）１０が、回転可能に取り付けられており、図示していない後羽根用駆動ばねによって、反時計方向へ回転するように付勢されている。この後羽根用駆動部材１０は、軸１ｅに嵌合させる筒部１０ａと、駆動ピン１０ｂと、取付部１０ｃと、被押動部１０ｄとを有している。それらのうち、駆動ピン１０ｂは、シャッタ地板１側に設けられていて上記の長孔１ｃを貫通しており、断面がＤ字状をしている根元部は、上記の緩衝部材３に当接し得るようになっており、断面が小判型をしている先端部は、羽根室内で後述する後羽根に連結されている。また、被押動部１０ｄは、後述の作動説明からも分かるが、シャッタ地板１側に一段寄らせて形成されている。
【００２９】
取付部１０ｃは、上記の取付部６ｃと同様に、被写体側に高く形成されている。そして、この取付部１０ｃの形状は、上記の取付部６ｃの場合と略同じである。そのため、その詳細な説明を省略するが、上記の取付部６ｃについて説明したことは、全てこの取付部１０ｃの場合にも適用される。また、この取付部１０ｃにはカラー部材１１が取り付けられているが、その形状は上記のカラー部材７と全く同じであり、その取付け方も同じであるため、説明を省略する。更に、取付部１０ｃには鉄片部材１２が取り付けられている。この鉄片部材１２は、取付部１０の取付孔とカラー部材１１の孔に緩く嵌合している軸部１２ａと、その軸部１２ａの一端に取り付けられていてその一部が取付部１０の収容室に収容されている鉄片部１２ｂと、軸部１２ａの他端に形成されている鍔部１２ｃとからなっていて、収容室内において軸部１２ａに嵌装されている圧縮ばね１３によって鉄片部１２ｂを収容室から突き出す方向へ付勢されている。そして、鉄片部１２ｂは、常に全面を収容室外に臨ませている面を、上記の鉄芯部材５の二つの磁極部に対する被吸着面としている。
【００３０】
シャッタ地板１の上記の軸１ｆには、合成樹脂製のセット部材１４が、回転可能に取り付けられている。このセット部材１４は、軸１ｆに嵌合させる筒部１４ａと、先羽根用駆動部材６のローラー６ｄを押す押動部１４ｂと、後羽根用駆動部材１０の被押動部１０ｄを押す押動部１４ｃと、被押動部１４ｄとを有していて、周知の図示していない復帰ばねによって時計方向へ回転するように付勢されている。また、周知であるため図示していないが、このセット部材１４の背面側には係合ピンが設けられていて、シャッタ地板１に形成されている図示していない円弧状の長孔に挿入している。図１は、セット部材１４が、復帰ばねの付勢力によって時計方向へ回転させられ、その係合ピンが、円弧状の長孔の一端に当接して停止させられている状態を示しているが、以下、セット部材１４については、この回転位置を初期位置と称することにする。
【００３１】
最後に、先羽根と後羽根の構成を説明する。先ず、先羽根は、夫々一端をシャッタ地板１の軸１ｇ,１ｉに回転可能に取り付けられている二つのアーム１５,１６と、それらのアーム１５,１６の両方に、夫々周知の連結軸を介して枢支された４枚の羽根１７，１８，１９，２０からなっていて、アーム１５,１６の最先端に枢支された羽根２０をスリット形成羽根としている。そして、それらの配置関係は、アーム１５,１６が一番シャッタ地板１側にあり、中間板側に向けて、羽根２０,羽根１９,羽根１８,羽根１７の順になっている。また、アーム１５には、長孔１５ａが形成されており、そこに、先羽根用駆動部材６の上記した駆動ピン６ｂが、その先端部を嵌合させている。
【００３２】
他方、後羽根は、夫々の一端をシャッタ地板１の軸１ｈ,１ｊに回転可能に取り付けられた二つのアーム２１,２２と、それらのアーム２１,２２の両方に、夫々連結軸を介して枢支された４枚の羽根２３，２４，２５，２６からなっていて、アーム２１,２２の最先端に枢支された羽根２６をスリット形成羽根としている。そして、それらの配置関係は、先羽根とは逆向きであって、アーム２１,２２が一番補助地板側にあり、中間板側に向けて、羽根２６,羽根２５,羽根２４,羽根２３の順になっている。また、アーム２１には、長孔２１ａが形成されており、そこに、後羽根用駆動部材１０の上記した駆動ピン１０ｂが、その先端部を嵌合させている。尚、本実施例においては、先羽根も後羽根も羽根を４枚ずつ備えているが、それらの枚数には制限がなく、１枚ずつであってもよいし、先羽根と後羽根で枚数が異なっていても構わない。
【００３３】
次に、本実施例の作動を説明する。図１は露光作動の開始直前の状態を示してある。即ち、既に、カメラのレリーズが行われていて、先羽根用電磁石と後羽根用電磁石の各コイルに通電され、各駆動部材６，１０に取り付けられた鉄片部材８，１２の鉄片部８ｂ，１２ｂが、各電磁石の鉄芯部材４，５に磁気的に吸着された後、セット部材１４が図示していない復帰ばねの付勢力によって初期位置へ復帰し停止した状態を示したものである。従って、この状態においては、各駆動部材６，１０は、図示していない各々の駆動ばねの付勢力に抗して、露光作動開始位置に保持されていて、先羽根の４枚の羽根１７〜２０は、隣接する羽根との重なりを小さくした展開状態になって、開口部１ａを覆っており、後羽根の４枚の羽根２３〜２６は、隣接する羽根との重なりを大きくした重畳状態となり、開口部１ａの下方位置に格納されている。
【００３４】
このようにして、レリーズ後、セット部材１４が初期位置に復帰すると、先ず、図示していない先羽根用電磁石のコイルに対する通電が断たれ、先羽根用駆動部材６が、図示していない先羽根用駆動ばねの付勢力によって反時計方向へ回転を開始する。それによって、先羽根用駆動部材６の駆動ピン６ｂがアーム１５を反時計方向へ回転させるので、先羽根の４枚の羽根１７〜２０は、隣接する羽根同士の重なりを大きくしつつ上方へ作動し、スリット形成羽根２０の下端縁で開口部１ａを開いていく。
【００３５】
先羽根用電磁石のコイルに対する通電が断たれてから所定時間が経過すると、今度は、図示していない後羽根用電磁石のコイルに対する通電が断たれる。そのため、後羽根用駆動部材１０は、図示していない後羽根用駆動ばねの付勢力によって反時計方向へ回転させられる。それによって、後羽根用作動部材１０の駆動ピン１０ｂがアーム２１を反時計方向へ回転させるので、後羽根の４枚の羽根２３〜２６は、隣接する羽根同士の重なりを小さくしつつ上方へ作動し、スリット形成羽根２６の上端縁で開口部１ａを閉じていく。そのため、以後は、２枚のスリット形成羽根２０，２６の間に形成されたスリットにより、フィルムの感光面又は固体撮像素子の撮像面を連続的に露光させていくことになる。
【００３６】
その後、先羽根の４枚の羽根１７〜２０が重畳状態となって、開口部１ａから上方へ退くと、先羽根用駆動部材６は、その駆動ピン６ｂが、長孔１ｂの上端面に取り付けられている緩衝部材２に当接して停止させられる。また、その後、後羽根の４枚の羽根２３〜２６が展開状態となって、開口部１ａを完全に覆うようになると、後羽根用駆動部材１０の駆動ピン１０ｂが、長孔１ｃの上端面に取り付けられている緩衝部材３に当接して停止させられる。図６は、そのようにして、露光作動の終了した直後の状態を示したものである。
【００３７】
次に、本実施例のセット作動を説明する。図６に示した状態になってから所定の時間が経過すると、図示していないカメラ本体側の部材が、セット部材１４の被押動部１４ｄを上方へ押して、セット部材１４を、図示していない復帰ばねの付勢力に抗して反時計方向ヘ回転させる。それにより、セット部材１４は、先ず、押動部１４ｂが、先羽根用駆動部材６に取り付けられているローラー６ｄを押し、図示していない先羽根用駆動ばねの付勢力に抗して先羽根用駆動部材６を時計方向へ回転させ始め、次に、押動部１４ｃが、後羽根用駆動部材１０の被押動部１０ｄを押し、図示していない後羽根用駆動ばねの付勢力に抗して後羽根用駆動部材１０を時計方向へ回転させ始める。また、それによって、各駆動部材６，１０は、それらの駆動ピン６ｂ，１０ｂによって、アーム１５，２１を時計方向へ回転させる。そのため、先羽根の４枚の羽根１７〜２０は、隣接する羽根同士の重なりを小さくしつつ下降し、後羽根の４枚の羽根２３〜２６は、隣接する羽根同士の重なりを大きくしつつ下降していく。
【００３８】
その後、先羽根の４枚の羽根１７〜２０が展開状態となって開口部１ａを覆い終わると、その直後に、各鉄片部材８，１２の鉄片部８ｂ，１２ｂは、相前後して鉄芯部材４，５に接触するが、その接触した瞬間には、鉄片部８ｂ，１２ｂの被吸着面は、鉄芯部材４，５の吸着面と平行になっておらず、いずれかの方向に傾いた状態になっている。しかしながら、その後、鉄片部８ｂ，１２ｂが、圧縮ばね９，１３の付勢力に抗して収容室内に押し込まれてゆき、鍔部８ｃ，１２ｃが取付部６ｃ，１０ｃから離れていくにしたがって、鉄片部８ｂ，１２ｂの被吸着面が、鉄芯部材４，５の吸着面と平行になっていく。そして、鉄片部８ｂ，１２ｂの被吸着面が、鉄芯部材４，５の吸着面に密接状態になった後、図示していないカメラ本体側の部材の押動が停止するので、セット部材１４は、その回転を停止し、次の撮影が行われるまで、その位置に留まることになる。図７は、そのようにして行われたセット作動の終了状態を示したものである。
【００３９】
ところで、上記したように、各鉄片部材８，１２の鉄片部８ｂ，１２ｂは、その一部が鉄芯部材４，５に接触した瞬間からは、軸部８ａ，１２ａが傾いていくことになるが、本実施例の場合には、その傾き始めの作動が非常にスムーズに行われるようになっている。そこで、そのことを、図２，図３、及び図８，図９を用いて説明する。尚、図２及び図３は、セット作動の最終段階で、鉄片部８ｂの被吸着面が全く傾かなかった状態、即ち、接片部材８の鉄片部８ｂが先羽根用電磁石の鉄芯部材４に接触しても、軸部８ａが全く傾かない場合の状態を示したものである。
【００４０】
そして、先ず、従来の構成の場合を説明する。従来の構成は、本実施例のようにカラー部材７を設けていないから、その状態においては、鍔８ｃが取付部６ｃに直接接触していることになる。そして、そのような従来の構成において、鉄片部８ｂの被吸着面の一部が鉄芯部材４に接触し、それまでの軸部８ａの姿勢をいずれかの方向へ傾かせようとする場合、その軸部８ａの傾く方向が図２の紙面に沿った左右方向であれば、鍔部８ｃが取付孔の縁の円弧面に沿って振れるので、極めてスムーズに傾いていくが、図２の紙面に対して垂直な方向の場合には、鍔部８ｃの移動方向の外周部が取付孔の縁の円弧面に食い込むようになってしまい、軸部８ａの傾きがスムーズに開始されず、その円弧面の一部を傷付けてしまうことになる。
【００４１】
それに対して、本実施例の場合には、上記の構成説明のように、特殊な形状をしたカラー部材７を設けている。そのため、そのような問題は生じない。即ち、本実施例の構成によれば、鉄片部８ｂの被吸着面の一部が鉄芯部材４に接触し、軸部８ａを傾かせていく方向が、鍔部８ｃを図２の紙面に沿って左右に振らす方向の場合には、軸部８ａがカラー部材７の孔７ａの短手方向の縁を押すことにより、鍔部８ｃは、カラー部材７と共に、カラー部材７が接触している取付部６ｃの円弧面に沿って振れるので、軸部８ａの傾きは極めてスムーズに開始される。図８（ａ）は、そのようにして、軸部８ａが図２に示された状態から反時計方向へ所定の角度θ１だけ傾いた状態を示したものであり、図８（ｂ）は、軸部８ａが図２に示された状態から時計方向へ所定の角度θ２だけ傾いた状態を示したものである。
【００４２】
また、その軸部８ａの傾き方向が、鍔部８ｃを図２の紙面に対して垂直に振らす方向の場合、即ち、鍔部８ｃを図３の紙面に対して上下方向へ振らす方向の場合には、軸部８ａはカラー部材７の孔７ａ内を孔７ａの長手方向へ移動することによって、鍔部８ｃがカラー部材７の弧状部７ｂに形成されている弧状面に沿って振れるので、この場合にも、軸部８ａの傾きは極めてスムーズに開始されることになる。図９（ａ）は、そのようにして、軸部８ａが図３に示された状態から反時計方向へ所定の角度θ３だけ傾いた状態を示したものであり、図９（ｂ）は、軸部８ａが図３に示された状態から時計方向へ所定の角度θ４だけ傾いた状態を示したものである。
【００４３】
尚、本実施例の場合には、カラー部材７は金属製であるが、合成樹脂製にしても構わない。図１０は、そのようにする場合の変形例を示したものであって、図１０（ａ）はその平面図であり、図１０（ｂ）は図１０（ａ）のＢ―Ｂ線断面図である。この変形例のカラー部材７´は、図１０（ａ）に示されているように、略中央部に上記の孔７ａと同じ形状の孔７´ａを形成していて、その上方には、折曲部７´ｃを有しているが、図１０（ｂ）から分かるように、所定の強度を得るために、本実施例のカラー部材７よりも、全体として厚さの厚い部品として製作されている。そのため、この変形例の場合には、弧状部７´ｂ，７´ｂを、円形の凹部内に形成している。
【００４４】
また、本実施例の場合には、カラー部材７が、先羽根用駆動部材６の取付部６ｃに形成されている円弧面６ｃ−４に対して接触するように構成されているが、取付部６ｃに、円弧面６ｃ−４を形成する代わりに、孔６ｃ−２を間にして、円弧面６ｃ−４の頂部に相当する位置に二つの突部を設け、カラー部材７は、それらの突部に接するようにしても、同様の効果が得られる。図１１及び図１２は、そのように構成した変形例を示したものであって、図１１は、図２と同様にして示した平面図であり、図１２は図３と同様にして示した側面図である。この変形例は、図１２から分かるように、取付部６ｃに、孔６ｃ−２を間にして二つの突部６ｃ−５，６ｃ−６を一体成形で形成している。そのため、この変形例の場合にも、軸部８ａが図１１の紙面に沿って傾く場合には、極めてスムーズに作動し得るようになっている。
【００４５】
このようにしてセット作動が好適に行われた後、次の撮影に際して、カメラのレリーズボタンが押されると、先ず、図示していない先羽根用電磁石のコイルと後羽根用電磁石のコイルに通電され、鉄芯部材４，５に密接させられていた鉄片部材８，１２が吸着保持される。その後、図７の状態において、図示していないカメラ本体側の部材が下降し、被押動部１４ｄから退いていくので、セット部材１４は、図示していない復帰ばねの付勢力によって、初期位置へ向けて時計方向ヘ回転していく。そして、このようなセット部材１４の回転の途中において、その押動部１４ｂが先羽根用駆動部材６のローラー６ｄから離れ、押動部１４ｃが後羽根用駆動部材１０の被押動部１０ｄから離れると、各駆動部材６，１０は、図７の状態から、図示していない各駆動ばねの付勢力によって、反時計方向ヘ僅かに回転して停止する。即ち、各駆動部材６，１０は、セット状態において、各鉄片部材８，１２の鍔部８ｃ，１２ｃとカラー部材７，１１との間が離れていた分だけ、図示していない各駆動ばねの付勢力によって反時計方向ヘ回転させられることになる。その後、セット部材１４は、なおも時計方向の回転を続け、初期位置へ復帰する。その状態が、図１に示された状態である。
【００４６】
ところで、上記のように、セット部材１４が初期位置へ復帰するに際し、各駆動部材６，１０が、図７の状態から図１の状態まで、図示していない各駆動ばねの付勢力によって、反時計方向ヘ僅かに回転したとき、本実施例の構成は、従来の構成とは異なり、問題が生じないようになっている。そこで、そのことを、図７に示された状態になっている先羽根用駆動部材６の場合で説明する。尚、本実施例の場合は、図７の状態において、鉄片部材８の鉄片部８ｂが、圧縮ばね９の付勢力に抗して収容室内に押し込まれ、軸部８ａの一部が、取付部６ｃの上方に露出しているが、従来の構成の場合も、特許文献４の図８に示されているように、本実施例におけるカラー部材７を設けていないだけであって、図７に近い状態になっている。
【００４７】
そこで、先ず、従来の構成の場合で説明する。上記したように、図７の状態においては、鉄片部材８の軸部８ａは、どちらの方向へ傾いているか分からない。仮に、軸部８ａが、鍔部８ｃを図７の紙面に沿って振らす方向へ傾いている場合は、先羽根用駆動部材６が図１の状態になるまで回転しても取付部６ｃに形成されている円弧面が鍔部８ｃの面に線接触するので何ら問題はない。ところが、軸部８ａが、鍔部８ｃを図７の紙面に対して垂直に振らす方向へ傾いている場合には、取付部６ｃの円弧面の一部が、鍔部８ｃの振れ方向の外周部に当接することになるため、その当接した円弧面の一部が撮影を行うたびに傷付けられてしまうことになる。そして、次第に、先羽根駆動部材６の露光作動開始位置がずれていくことになり、露光時間が安定して得られなくなる原因となってしまう。
【００４８】
それに対して、本実施例の場合には、上記の構成説明のように、特殊な形状をしたカラー部材７を設けているため、そのような問題点は生じない。即ち、本実施例の構成によれば、軸部８ａが、鍔部８ｃを図７の紙面に沿って振らす方向へ傾いている場合であっても、鍔部８ｃを図７の紙面に対して垂直に振らす方向へ傾いている場合であっても、先羽根用駆動部材６が図１の状態になるまで回転してきたときには、取付部６ｃの円弧面はカラー部材７を押すだけであって鉄片部材８の鍔部８ｃの外周には全く当接しないので、鍔部８ｃによって傷付けられてしまうおそれが全くない。そのため、露光時間が常に安定して得られるようになっている。
【００４９】
尚、本実施例は、本発明を、銀塩フィルムカメラにもデジタルカメラにも採用することのできる二つのシャッタ羽根（先羽根と後羽根）を備えたフォーカルプレンシャッタとして構成したものである。しかしながら、本実施例の構成部材のうち、アーム１５，１６と羽根１７，１８，１９，２０とからなる先羽根と、先羽根用駆動部材６と、先羽根用電磁石（鉄芯部材４）とを取り外した構成にすれば、デジタルカメラにだけ採用することの可能な一つのシャッタ羽根を備えたフォーカルプレンシャッタとすることができる。
【実施例２】
【００５０】
次に、図１３〜図２６を用いて、実施例２を説明する。尚、図１３は、セット状態における開閉駆動機構を示した平面図であり、図１４は、セット状態における係止解除機構を示した平面図であって、図１５は、図１４に示されている係止解除機構の一部を拡大して示した側面図である。そして、図１６は、図１４の状態からホールド部材による二つの解除部材の保持力を解いた状態を示したものであり、図１７は、図１６の状態から先羽根用駆動部材の係止を解除した状態を示したものであって、図１８は、先羽根の開き作動が完了した状態を示したものである。また、図１９は、図１７の状態から後羽根用駆動部材の係止を解除した状態を示したものであって、図２０は、後羽根の閉じ作動が完了した状態を示したものである。更に、図２１は、図２０の状態のあとセット作動が開始された直後の状態を示したものであり、図２２は、図２１の状態のあとホールド部材が二つの解除部材の保持状態に係止された状態を示したものであって、図２３は、先羽根用駆動部材が先羽根用係止部材によって係止され得るようになった状態を示したものであり、図２４は、図２３の状態のあと、後羽根用駆動部材が後羽根用係止部材によって係止され得るようになった状態を示したものである。そして、図２５は、先羽根用解除部材に取り付けられている鉄片部材の軸部が傾いた状態を示した平面図であって、図２５（ａ）は図１４に示された状態において反時計方向へ傾かされた状態を示したものであり、図２５（ｂ）は図１４に示された状態において時計方向へ傾かされた状態を示したものである。また、同様に、図２６は、先羽根用解除部材に取り付けられている鉄片部材の軸部が傾いた状態を、図１４の下方から見て示した断面図であって、図２６（ａ）は反時計方向へ傾かされた状態を示したものであり、図２６（ｂ）は時計方向へ傾かされた状態を示したものである。
【００５１】
先ず、本実施例の構成を説明する。図１３及び図１４は、本実施例のセット状態（撮影待機状態）を被写体側から見て示した平面図であるが、図１３は、本実施例のフォーカルプレンシャッタの左側の約半分を示したものであって、主にシャッタ羽根の開閉駆動機構を説明するためのものであり、図１４は、主に開閉駆動機構の係止解除機構を示したものである。そして、本来であれば、図１４に示されている各構成部材は、図１３に示されている開閉駆動機構の被写体側に重ねて配置されているものであるが、そのようにして図示すると図面が見にくくなるため、二つに分けて示してある。従って、両方の機構の配置関係及び連動関係を分かり易くするために、一方の機構の一部の構成部材を他方の図面にも示してある。
【００５２】
図１３において、シャッタ地板３１は、その略中央部に長方形を横長にした撮影光路用の開口部３１ａを形成している。また、シャッタ地板３１の背面側には、所定の間隔を空けて、中間板３２と補助地板３３が順に取り付けられ、シャッタ地板３１と中間板３２との間に後述の後羽根の羽根室を構成し、中間板３２と補助地板３３との間に後述の先羽根の羽根室を構成している。そして、それらの中間板３２と補助地板３３にも、開口部３１ａと重なるところに類似の形状の開口部３２ａ，３３ａが形成されているが、露光開口は、開口部３１ａによって規制されるようになっている。また、開口部３１ａの左側には、円弧状の二つの長孔３１ｂ，３１ｃが形成されている。そして、それらの長孔３１ｂ，３１ｃの上端部には、平面形状が略Ｃ字状をしたゴム製の緩衝部材３４，３５が取り付けられている。
【００５３】
シャッタ地板３１の被写体側は２階建てになっていて、１階と２階の間には一部に中２階が設けられている。即ち、シャッタ地板３１の被写体側の面に立設された軸３１ｄ，３１ｅ，３１ｆには、シャッタ地板３１との間に所定の間隔を空けて上地板３６が取り付けられている。そして、その上地板３６は、図１３においては外形だけが二点鎖線で示されており、図１４においては実際の形状が実線で示されている。また、図１４に示されているように、上地板３６の被写体側の面に立設された軸３６ａ，３６ｂには、上地板３６との間に所定の間隔を空けてカバー板３７が平行に取り付けられており、そのカバー板３７は、図１４において、二点鎖線で示されている。更に、シャッタ地板３１の被写体側の面には、明示されていない二つの軸が立設されていて、それらの軸の先端面には、シャッタ地板３１との間にも、上地板３６との間にも所定の間隔を空けるようにして、面積の小さな棚板３８が、図１３に示すように、二つのビス３９，４０によって取り付けられている。そして、この棚板３８には、上地板３６側に折り曲げた折曲部３８ａが設けられているほか、軸３８ｂが立設されている。
【００５４】
シャッタ地板３１の被写体側の面には、図１３に示されているように、上記の軸３１ｄ，３１ｅ，３１ｆのほかに、軸３１ｇ，３１ｈ，３１ｉ，３１ｊが立設されているが、それらのうち軸３１ｇ，３１ｈは、シャッタ地板３１を貫通していて、背面側にも軸部を有するように構成されている。また、シャッタ地板３１の背面側には、それらの軸３１ｇ，３１ｈの軸部のほかに、軸３１ｋ，３１ｍも立設されている。
【００５５】
そして、シャッタ地板３１の被写体側において、上記の軸３１ｇには、先羽根用駆動部材４１が回転可能に取り付けられていて、図示していない先羽根用駆動ばねによって、反時計方向へ回転するように付勢されており、その回転によって、一部が、シャッタ地板３１と棚板３８との間に入り込む配置構成になっている。また、この先羽根用駆動部材４１は、被係止部４１ａを有しており、被写体側の面にはローラー４１ｂを回転可能に取り付け、背面側には駆動ピン４１ｃを設けている。そして、その駆動ピン４１ｃは、シャッタ地板３１の長孔３１ｂを貫通して、羽根室内で先羽根に連結されているが、その先羽根の構成については後述する。
【００５６】
また、シャッタ地板３１の被写体側において、上記の軸３１ｈには、後羽根用駆動部材４２が回転可能に取り付けられており、図示していない後羽根用駆動ばねによって、反時計方向へ回転するように付勢されている。この後羽根用駆動部材４２は、被係止部４２ａを有しており、被写体側の面にはローラー４２ｂを回転可能に取り付け、背面側には駆動ピン４２ｃを設けている。そして、その駆動ピン４２ｃは、シャッタ地板３１の長孔３１ｃを貫通して、羽根室内で後羽根に連結されているが、その後羽根の構成については後述する。
【００５７】
シャッタ地板３１の軸３１ｊには、セット部材４３が回転可能に取り付けられており、図示していないばねによって、時計方向へ回転するように付勢されている。そして、このセット部材４３は、被押動部４３ａを有しており、シャッタ地板３１側の面には、上記の先羽根用駆動部材４１のローラー４１ｂに接触し得るローラー４３ｂと、上記の後羽根用駆動部材４２のローラー４２ｂに接触し得るローラー４３ｃとが取り付けられている。
【００５８】
また、棚板３８の軸３８ｂには、セット操作部材４４が回転可能に取り付けられている。このセット操作部材４４は、シャッタ地板３１側の面に二つのローラー４４ａ，４４ｂを取り付けていて、上地板３６側の面にはローラー４４ｃを取り付けている。そして、このセット操作部材４４自体は、ばねによって回転力を付与されていない。そのため、図１３においては、このセット操作部材４４は、セット部材４３を付勢しているばねの力によって、ローラー４４ｂが被押動部４３ａに押されて反時計方向へ回転するのを、棚板３８の折曲部３８ａによって阻止されている状態となっている。尚、このセット操作部材４４は、図１４をはじめとする係止解除機構を示した平面図においては、図面を見やすくするために、ローラー４４ａの取付部とローラー４４ｃだけが示されている。
【００５９】
シャッタ地板３１の軸３１ｉには、先羽根用係止部材４５が回転可能に取り付けられていて、図示していないばねによって、反時計方向へ回転するように付勢されている。この先羽根用係止部材４５は、シャッタ地板３１側に折り曲げた係止部４５ａを有しているが、図１３においては、この係止部４５ａが、先羽根用駆動部材４１の被係止部４１ａを係止し、先羽根用駆動部材４１の反時計方向への回転を阻止している。また、この先羽根用係止部材４５は、上地板３６側に折り曲げた折曲部の左端に、さらに上地板３６側に突出させた被押動部４５ｂを有していて、その被押動部４５ｂを、セット操作部材４４に形成された図示していない長孔に挿入し、さらに上地板３６の四角い孔３６ｃ（図１４参照）に挿入することによって、上地板３６とカバー板３７の間に配置させている。尚、セット操作部材４４に形成されていて先羽根用係止部材４５の被押動部４５ｂを挿入している長孔の図示が省略されている関係で、図１３，図１８，図２０，図２３，図２４において、先羽根用係止部材４５については、被押動部４５ｂを実線で示してある。
【００６０】
上地板３６を取り付けている上記の軸３１ｆには、後羽根用係止部材４６が回転可能に取り付けられていて、図示していないばねによって、反時計方向へ回転するように付勢されている。この後羽根用係止部材４６は、シャッタ地板３１側に折り曲げた係止部４６ａと、上地板３６側に折り曲げた形状の被押動部４６ｂを有している。そして、係止部４６ａは、図１３において、後羽根用駆動部材４２の被係止部４２ａを係止し、後羽根用駆動部材４２の反時計方向への回転を阻止している。また、被押動部４６ｂは、図１４に示すように、上地板３６に形成されている糸巻き形状の孔３６ｄに挿入され、上地板３６とカバー板３７の間に突き出ている。
【００６１】
図１４に示されているように、上地板３６は、上下一直線となるように形成された二つの折曲部３６ｅ，３６ｆを有している。そして、上地板３６は、それらの折曲部３６ｅ，３６ｆを境にして段違いになっており、右側の面は、左側の面よりシャッタ地板３１側となっている。また、符号を付けていないが、折曲部３６ｅと折曲部３６ｆの上下中間領域には、主に上記の左側の面となるようにして、比較的大きな開口部が形成されている。このような形状の上地板３６には、二つの電磁石４７，４８がビス４９，５０によって取り付けられている。電磁石４７，４８は、Ｕ字形をした鉄芯部材４７ａ，４８ａと、コイル４７ｂ，４８ｂを巻回したボビン４７ｃ，４８ｃとからなっており、ボビン４７ｃ，４８ｃは、鉄芯部材４７ａ，４８ａの一方の脚部に嵌装されている。そして、それらのボビン４７ｃ，４８ｃは、上地板３６側の一部を上記の符号を付けていない開口部に挿入していて、図１６から分かるように、鉄芯部材４７ａ，４８ａから右側へ抜けるのを、カバー板３７の抑止部３７ａによって抑えられている。
【００６２】
上地板３６に立設されていてカバー板３７を取り付けている上記の軸３６ａ，３６ｂには、先羽根用解除部材（取付部材）５１と後羽根用解除部材（取付部材）５２が回転可能に取り付けられており、各々図示していない解除ばねの付勢力によって、先羽根用解除部材５１は反時計方向へ回転するように付勢され、後羽根用解除部材５２は時計方向へ回転するように付勢されている。そして、先羽根用解除部材５１は、押動部５１ａと折曲部５１ｂを有していて、折曲部５１ｂには、鉄片部材５３とカラー部材５５を取り付けている。また、後羽根用解除部材５２は、押動部５２ａと折曲部５２ｂを有していて、折曲部５２ｂには、鉄片部材５４とカラー部材５６を取り付けている。そして、折曲部５２ｂに対する鉄片部材５４とカラー部材５６の取り付け方は、実質的に、折曲部５１ｂに対する鉄片部材５３とカラー部材５５の取り付け方と同じである。そのため、図２５（ａ）及び図２６（ａ）を用いて、折曲部５１ｂに対する鉄片部材５３とカラー部材５５との取り付け構成だけを具体的に説明する。尚、図２５（ａ）は、折曲部５１ｂに対する鉄片部材５３とカラー部材５５の取り付け構成を、図１４と同様に、被写体側から見て示した平面図であり、図２６（ａ）は、図１４の下側から見て示した断面図である。
【００６３】
本実施例の先羽根用解除部材５１は金属製であって、図２６（ａ）から分かるように、折曲部５１ｂには取付孔５１ｂ−１が形成されており、鉄芯部材４７ａとは反対側になる面に凹部が形成されていて、その中に円弧面５１ｂ−２が形成されている。そして、この円弧面５１ｂ−２は、取付孔５１ｂ−１を間にした二つの頂部の稜線が、シャッタ地板３１と平行になるように形成されている。また、図２５（ａ）から分かるように、折曲部５１ｂには、孔５１ｂ−３も形成されている。そこで先ず、本実施例のカラー部材５５について説明する。カラー部材５５は、金属製であって、図４に示したカラー部材７と実質的に同じ形状をしており、図２６（ａ）に示すように、略中央部には上記のカラー部材７の孔７ａと同じ形状をした孔５５ａを形成している。そして、その孔５５ａの両側には弧状部５５ｂ，５５ｂを有している。また、このカラー部材５５は、図２５（ａ）に示すように、その下端部に折曲部５５ｃを有していて、その折曲部５５ｃを、先羽根用解除部材５１の折曲部５１ｂに設けられた上記の孔５１ｂ−３に緩く挿入している。従って、カラー部材５５が、先羽根用解除部材５１の折曲部５１ｂに取り付けられた状態においては、弧状部５５ｂ，５５ｂの円弧面の頂部の稜線が、先羽根用解除部材５１の折曲部５１ｂに形成されている円弧面５１ｂ−２の頂部の稜線と直交するようになっている。
【００６４】
次に、本実施例の鉄片部材５３について説明する。本実施例の鉄片部材５３は、折曲部５１ｂの取付孔５１ｂ−１とカラー部材５５の孔５５ａに嵌合している軸部５３ａと、その軸部５３ａの一端に取り付けられている鉄片部５３ｂと、軸部５３ａの他端側に形成されている鍔部５３ｃと、鍔部５３ａの中心部から突き出るように形成された被押動部５３ｄとからなっている。そして、この鉄片部材５３とカラー部材５５を、先羽根用解除部材５１の折曲部５１ｂに取り付けた状態においては、鉄片部材５３は、その軸部５３ａが折曲部５１ｂの取付孔５１ｂ−１に緩く嵌合しているため、その軸部５３ａが取付孔５１ｂ−１に対して傾き得るようになっているし、軸方向へも若干移動し得るようになっている。また、具体的な図示が省略されているが、実際には、折曲部５１ｂに、軸部５３ａが大きく回転してしまわないようにするための回転止め部が設けられている。そして、本実施例の場合には、鉄片部材５３を折曲部５１ｂに取り付けるに際し、ばねを介在させていない。しかしながら、鉄片部材５３の鉄片部５３ｂと折曲部５１ｂの間に圧縮ばねを介在させるようにしても構わない。
【００６５】
尚、上記したように、後羽根用解除部材５２に対する鉄片部材５４とカラー部材５６の取付け構成については説明を省略するが、図１４，図１６，図１７，図１９，図２１，図２２においては、鉄片部材５４に設けられていて、上記した鉄片部材５３の被押動部５３ｄに相当する被押動部に、符号５４ｄを付けてある。
【００６６】
図１４において、上地板３６には軸３６ｈが立設されており、そこには、上地板３６側からホールド部材５７とホールド補助部材５８とが回転可能に取り付けられているが、それらの取付け構成は、図１４と図１５を参照しながら説明する。図１５に示すように、上地板３６の軸３６ｈには、管軸部材５９と筒状部材６０とが回転可能に取り付けられている。しかしながら、筒状部材６０の方は圧入などの適宜な方法で固定されているようにしても差し支えない。このような管軸部材５９に対して、ホールド補助部材５８は固定されているが、ホールド部材５７は、ホールド補助部材５８との間にワッシャ６１を介在させ、回転可能に取り付けられている。しかしながら、管軸部材５９に対して、ホールド部材５７を固定し、ホールド補助部材５８を回転可能に取り付けるように構成しても差し支えない。
【００６７】
ホールド部材５７とホールド補助部材５８との間には、連結ばね６２が掛けられていて、図１４において、ホールド部材５７を時計方向へ回転させ、ホールド補助部材５８を反時計方向へ回転させるように付勢している。この連結ばね６２は、ねじりコイルばねであって、コイル部が管軸部材５９と筒状部材６０の両方に接触可能に嵌装されており、一方の腕部をホールド部材５７の軸５７ａに掛け、他方の腕部をホールド補助部材５８の折曲部５８ｂ（図１４参照）に掛けている。そして、この連結ばね６２が、ホールド部材５７とホールド補助部材５８を相対的に回転させる付勢力は、ホールド部材５７の軸５７ａの大径部にホールド補助部材５８の当接部５８ａが当接することによって失われるようになっている。
【００６８】
また、図１５に示されているように、ホールド部材５７は、管軸部材５９の周囲に緩く嵌装されている離反ばね６３によって、図１４において反時計方向へ回転するように付勢されている。そして、この離反ばね６３は、ホールド部材５７に直接掛けるようにしても構わないが、本実施例の場合には、そのようにしていない。即ち、この離反ばね６３は、ねじりコイルばねであって、本実施例の場合には、一方の腕部を上地板３６の縁に掛け、他方の腕部をホールド補助部材５８の折曲部５８ｃ（図１４参照）に掛けている。そのため、ホールド部材５７は、離反ばね６３に付勢されているホールド補助部材５８の当接部５８ａが軸５７ａを押すことによって、図１４において反時計方向へ回転させられるようになっている。他方、ホールド補助部材５８は、図１４に示されているように、上記の折曲部５８ｃより先端側が、上地板３６の背面側に配置されており、上地板３６の左側に位置した先端には折曲部が設けられ、その一部を上地板３６よりもカバー板３７側に延伸させ、被係止部５８ｄとしている。
【００６９】
次に、主に、図１４及び図１５を参照して、ホールド部材５７に対する押圧部材６４の取付け構成を説明する。ホールド部材５７は、上記の軸５７ａのほか軸５７ｂを立設していて、さらに先端にはストッパ部５７ｃを有している。また、その軸５７ｂに回転可能に取り付けられている押圧部材６４は、二つの押圧片６４ａ，６４ｂのほかに、ホールド部材５７の作動面側に折り曲げられた当接部６４ｃを有している。
【００７０】
そして、押圧部材６４に設けられた二つの押圧片６４ａ，６４ｂは、上記の先羽根用解除部材５１と後羽根用解除部材５２に取り付けられた鉄片部材５３，５４の被押動部５３ｄ，５４ｄを押し、電磁石４７，４８の鉄芯部材４７ａ，４８ａに対して鉄片部材５３，５４を押し付けるためのものである。また、ストッパ部５７ｃと当接部６４ｃは、ホールド部材５７に対する押圧部材６４の回り止めをするためのものであって、押圧部材６４が、図１４の状態から反時計方向へ回転すると、当接部６４ｃがストッパ部５７ｃに当接して停止し、時計方向へ回転すると、当接部６４ｃがホールド部材５７の端面に当接して停止するようになっている。
【００７１】
図１４に示されているように、上地板３６には軸３６ｉが立設されていて、そこには、レリーズ部材６５が回転可能に取り付けられている。このレリーズ部材６５は、先羽根用解除部材５１やホールド部材５７よりもカバー板３７側に配置されていて、図示していないばねによって反時計方向へ回転するように付勢されているが、図１４に示された状態においては、図示していないストッパによって、その回転を阻止されている。このレリーズ部材６５には、上記のホールド補助部材５８の被係止部５８ｄを係止するための係止部６５ａと、折り曲げ形状をしていて上地板３６の右側に突き出している操作部６５ｂとが設けられている。そして、カバー板３７は、上記のように、軸３６ａ，３６ｂに取り付けられているほか、符号を付けていない二つの孔を、軸３６ｉの先端の小径部と、軸３６ｈの先端に嵌合させていて、図１４の右方位置には、上地板３６側に折り曲げた細長いストッパ部３７ｂを有している。
【００７２】
最後に、各々の羽根室内に配置されている先羽根と後羽根の構成を、図１３を用いて説明する。先ず、先羽根は、シャッタ地板３１に立設された二つの軸３１ｇ，３１ｋに羽根室内で枢着されている二つのアーム６６，６７と、それらの先端に向けて順に枢支された３枚の羽根６８，６９，７０とで構成されていて、羽根７０をスリット形成羽根としている。また、アーム６６に形成された周知の孔に、先羽根用駆動部材４１の駆動ピン４１ｃを嵌合させている。他方、後羽根は、先羽根を裏返したようにして配置されており、シャッタ地板３１に立設されている二つの軸３１ｈ，３１ｍに羽根室内で枢着された二つのアーム７１，７２と、それらの先端に向けて順に枢支された３枚の羽根７３，７４，７５とで構成されていて、羽根７５をスリット形成羽根としている。また、アーム７１に形成された周知の孔に、後羽根用駆動部材４２の駆動ピン４２ｃを嵌合させている。尚、本実施例においては、先羽根も後羽根も羽根を３枚ずつ備えているが、１枚ずつであってもよいし、先羽根と後羽根で枚数が異なっていても構わない。
【００７３】
次に、本実施例の作動を説明する。図１３及び図１４は、本実施例のセット状態を示している。このとき、セット部材４３は、図示していないばねの付勢力によって時計方向へ回転し、上記したようにローラー４４ｂを押すことによってセット操作部材４４を反時計方向へ回転させ、セット操作部材４４が棚板３８の折曲部３８ａに当接したことによって、この状態を維持されている。セット部材４３とセット操作部材４４にとっては、この状態の位置が初期位置である。そして、このセット状態においては、セット部材４３のローラー４３ｂ，４３ｃは、先羽根用駆動部材４１と後羽根用駆動部材４２の各ローラー４１ｂ，４２ｂの作動範囲外に位置している。
【００７４】
また、このセット状態において、先羽根用駆動部材４１は、図示していない先羽根用駆動ばねの付勢力に抗して、被係止部４１ａを先羽根用係止部材４５の係止部４５ａに係止され、後羽根用駆動部材４２は、図示していない後羽根用駆動ばねの付勢力に抗して、被係止部４２ａを後羽根用係止部材４６の係止部４６ａによって係止されている。それにより、先羽根用駆動部材４１の駆動ピン４１ｃに連結されている先羽根は、３枚の羽根６８，６９，７０を展開状態にして開口部３１ａを覆った状態を維持させられ、後羽根用駆動部材４２の駆動ピン４２ｃに連結されている後羽根は、３枚の羽根７３，７４，７５を重畳状態にして開口部３１ａの下方位置に格納された状態を維持させられている。
【００７５】
更に、このとき、図１４に示すように、ホールド補助部材５８は、その被係止部５８ｄをレリーズ部材６５の係止部６５ａに係止されている。そのため、図１５に示すように、管軸部材５９に緩く嵌装されていて、一端を上地板３６に掛け、他端をホールド補助部材５８の折曲部５８ｃに掛けている離反ばね６３は、緊張されている。また、このとき、ホールド部材５７に取り付けられた押圧部材６４は、その押圧片６４ａ，６４ｂが、先羽根用解除部材５１に取り付けられている鉄片部材５３の被押動部５３ｄと、後羽根用解除部材５２に取り付けられている鉄片部材５４の被押動部５４ｄを押すことによって、鉄片部材５３，５４を電磁石４７，４８の鉄芯部材４７ａ，４８ａに押し付けている。そして、この状態においては、ホールド補助部材５８の当接部５８ａは、ホールド部材５７の軸５７ａから離れている。そのため、管軸部材５９と筒状部材６０の両方に嵌装され、一端をホールド部材５７の軸５７ａに掛け、他端をホールド補助部材５８の折曲部５８ｂに掛けている連結ばね６２も緊張されている。
【００７６】
このようなセット状態において、カメラのレリーズボタンが押されると、最初に先羽根が開口部３１ａの開き作動を開始し、所定時間後に後羽根が閉じ作動を開始して、通常の昼光撮影の場合には、先羽根のスリット形成羽根７０と後羽根のスリット形成羽根７５によってスリットを形成し、フィルムの感光面又は固体撮像素子の撮像面を連続的に露光していくことになるが、以下においては、説明の便宜上、先羽根が開口部３１ａを全開にしてから後羽根が開口部３１ａを閉じ始める場合で説明することにする。
【００７７】
このセット状態において、カメラのレリーズボタンを押すと、先ず、図１４に示されている二つの電磁石４７，４８のコイル４７ｂ，４８ｂに対し、電流が供給される。そのため、先羽根用解除部材５１に取り付けられている鉄片部材５３と、後羽根用解除部材５２に取り付けられている鉄片部材５４が、電磁石４７，４８の鉄芯部材４７ａ，４８ａに吸着保持される。その後、カメラ本体側の部材によってレリーズ部材６５の操作部６５ｂが下方へ押されると、レリーズ部材６５は、図示していないばねの付勢力に抗して時計方向へ回転し、係止部６５ａによる被係止部５８ｄの係止を解除する。そのため、ホールド補助部材５８は、ホールド部材５７との間に掛けられている連結ばね６２の付勢力と、上地板３６との間に掛けられている離反ばね６３の付勢力とによって反時計方向へ回転させられる。
【００７８】
そして、ホールド補助レバー５８の当接部５８ａがホールド部材５７の軸５７ａに当接すると、連結ばね６２による回転力が失われるので、その後は、ホールド部材５７とホールド補助部材５８の両方が、離反ばね６３の付勢力だけによって反時計方向へ回転させられるようになり、ホールド部材５７に取り付けられている押圧部材６４の押圧片６４ａ，６４ｂが鉄片部材５３，５４の被押動部５３ｄ，５４ｄから離れて行く。図１６は、その後、押圧部材６４が、カバー板３７のストッパ部３７ｂに当接することによって、ホールド部材５７が停止した状態を示したものである。
【００７９】
その後、露光制御回路からの信号によって、先羽根用電磁石４７のコイル４７ｂに対する通電が断たれると、図示していないばねの付勢力によって、先羽根用解除部材５１が反時計方向へ回転させられ、押動部５１ａが先羽根用係止部材４５の被押動部４５ｂを押すことによって、先羽根用係止部材４５を図示していないばねの付勢力に抗して時計方向へ回転させる。そのため、先羽根用係止部材４５の係止部４５ａは、先羽根用駆動部材４１の被係止部４１ａの係止を解く。そして、このときには、レリーズ部材６５の操作部６５ｂに対するカメラ本体側の部材の押圧力も解かれており、レリーズ部材６５は図示していないばねの付勢力によって反時計方向へ回転し、その係止部６５ａがホールド補助部材５８の被係止部５８ｄに当接している。その状態が、図１７に示された状態である。
【００８０】
このようにして、先羽根用係止部材４５による係止を解かれると、先羽根用駆動部材４１は、図示していない先羽根用駆動ばねの付勢力によって、図１３の状態から急速に反時計方向へ回転させられる。そのため、先羽根の３枚の羽根６８，６９，７０は、隣接する羽根同士の重なりを大きくしつつ開口部３１ａの上方へ作動し、開口部３１ａの下方から開口部３１ａを開放していく。そして、開口部３１ａが全開になると、その直後に、先羽根用駆動部材４１は、その駆動ピン４１ｃが、長孔３１ｂの上端に取り付けられた緩衝部材３４に当接して停止させられ、先羽根の３枚の羽根６８，６９，７０は、重畳されて開口部３１ａの上方位置で格納状態になる。図１８は、そのときの状態を示したものである。
【００８１】
先羽根が開口部３１ａを全開にすると、続いて、後羽根用の電磁石４８のコイル４８ｂに対する通電が断たれる。それによって、後羽根用解除部材５２が、図示していないばねの付勢力によって時計方向へ回転させられ、その押動部５２ａによって、後羽根用係止部材４６の被押動部４６ｂを押す。そのため、後羽根用係止部材４６は、図示していないばねの付勢力に抗して時計方向へ回転させられ、その係止部４６ａが、後羽根用駆動部材４２の被係止部４２ａの係止を解く。その状態が、図１９に示された状態である。
【００８２】
このようにして、後羽根用係止部材４６による係止を解かれると、後羽根用駆動部材４２は、図示していない後羽根用駆動ばねの付勢力によって、図１８の状態から急速に反時計方向へ回転させられる。そのため、後羽根の３枚の羽根７３，７４，７５は、隣接する羽根同士の重なりを小さくしつつ開口部３１ａ内へ作動し、開口部３１ａの下方から開口部３１ａを閉鎖していく。そして、開口部３１ａが完全に閉鎖すると、その直後に、後羽根用駆動部材４２は、その駆動ピン４２ｃが、長孔３１ｃの上端に取り付けられた緩衝部材３５に当接して停止させられる。図２０は、このようにして、先羽根と後羽根による露光作動が終了し、後羽根の３枚の羽根７３，７４，７５が展開状態となって開口部３１aを閉鎖している状態を示したものである。
【００８３】
撮影が終了すると、次にセット作動が行われる。その場合、本実施例においては、先ず、セット操作部材４４が、図示していないカメラ本体側の部材によってローラー４４ａを押され、時計方向へ回転させられる。そのため、セット操作部材４４は、一方では、ローラー４４ｃによって、ホールド補助部材５８を図１９において時計方向へ回転させ、他方では、ローラ４４ｂによって、セット部材４３を図２０において反時計方向へ回転させる。そして、このようなホールド補助部材５８とセット部材４３の回転は、略同時に並行して行われるが、説明の都合上、ホールド補助部材５８の方から説明することにする。
【００８４】
先ず、上記のように、図１９において、ホールド補助部材５８が、セット操作部材４４のローラー４４ｃに押されて時計方向へ回転を開始すると、このときには、離反ばね６３の付勢力よりも連結ばね６２の付勢力の方が大きいため、ホールド部材５７も、その軸５７ａをホールド補助部材５８の当接部５８ａに接触させたまま、ホールド補助部材５８と共に、離反ばね６３の付勢力に抗して時計方向へ回転を開始する。
【００８５】
この時計方向の回転中、ホールド補助部材５８は、その被係止部５８ｄが、レリーズ部材６５の係止部６５ａの左端面と摺接するが、ホールド部材５７の方は、押圧部材６４によって、先羽根用解除部材５１と後羽根用解除部材５２に取り付けられている鉄片部材５３，５４の被押動部５３ｄ，５４ｄを押し、先羽根用解除部材５１を、図示していないばねの付勢力に抗して時計方向へ回転させ、後羽根用解除部材５２を、図示していないばねの付勢力に抗して反時計方向へ回転させていく。また、それに伴い、それらの解除部材５１，５２の押動部５１ａ，５２ａによって押されていた力が解かれていくため、先羽根用係止部材４５と後羽根用係止部材４６も、夫々の図示していないばねの付勢力によって反時計方向へ回転させられていく。そして、先羽根用解除部材５１と後羽根用解除部材５２に取り付けられている鉄片部材５３，５４が、電磁石４７，４８の鉄芯部材４７ａ，４８ａに対して正規の姿勢で接触した状態が、図２１に示されている。
【００８６】
ところで、上記のようにして、鉄片部材５３，５４が鉄芯部材４７ａ，４８ａに接触するときには、鉄片部材５３，５４の被吸着面は、最初から鉄芯部材４７ａ，４８ａの吸着面に対して全面で接触するわけではない。鉄片部材５３，５４の被吸着面は、最初は、鉄芯部材４７ａ，４８ａの吸着面に対して傾いており、その一部が鉄芯部材４７ａ，４８ａの吸着面の一部に接触するだけであり、その後、徐々に平行にさせられてゆき、最終的に、その全面が接触させられるようになる。本実施例の鉄片部材５３，５４は、そのような動きを好適に行えるようにして、解除部材５１，５２の折曲部５１ｂ，５２ｂに取り付けられている。そこで、そのことを、鉄片部材５３の取付け構成を示している図２５及び図２６を用いて、具体的に説明する。
【００８７】
図２５は、鉄片部材５３が、図２１に示された状態になるときに、軸部５３ａが、鍔部５３ｃを図２１の紙面に沿って振らせるように傾いた場合を示したものであって、図２５（ａ）は、軸部５３ａが反時計方向へ角度θ５だけ傾いた状態を示したものであり、図２５（ｂ）は、軸部５３ａが時計方向へ角度θ６だけ傾いた状態を示したものである。これらの場合には、軸部５３ａが、カラー部材５５の孔５５ａ内を、孔５５ａの長手方向へ移動することによって、鍔部５３ｃをカラー部材５５の弧状部５５ｂに形成された弧状面に沿ってスムーズに変位させたことになる。
【００８８】
また、図２６は、鉄片部材５３が、図２１に示された状態になるときに、軸部５３ａが、鍔部５３ｃを図２１の紙面に対して垂直な方向に振らせるように傾いた場合を示したものであって、図２６（ａ）は、軸部５３ａが反時計方向へ角度θ７だけ傾いた状態を示したものであり、図２６（ｂ）は、軸部５３ａが時計方向へ角度θ８だけ傾いた状態を示したものである。これらの場合には、軸部５３ａが、カラー部材５５の孔５５ａの短手方向の縁を押して移動することにより、鍔部５３ｃをカラー部材５５と共に、先羽根用解除部材５１の折曲部５１に形成された円弧面５１ｂ−２に沿ってスムーズに変位させたことになる。
【００８９】
尚、本実施例のカラー部材５５，５６は、金属製であって、上記の図４に示されたカラー部材７と全く同じ形状をしているが、上記の図１０に示されているカラー部材７´のように、合成樹脂製にしても構わない。また、図２６に示されているように、本実施例の場合には、カラー部材５５が、先羽根用解除部材５１の折曲部５１ｂに形成された円弧面５１ｂ−２に接触するように構成されているが、折曲部５１ｂに円弧面５１ｂ−２を形成する代わりに、孔５１ｂ−１を間にして、円弧面５１ｂ−２の頂部に相当する位置に二つの突部を設け、カラー部材５５は、それらの突部に接するようにしても、同様の効果が得られる。図２７は、そのように構成した変形例を示したものであって、図２７（ａ）は、その平面図であり、図２７（ｂ）は、図２７（ａ）の下方から見た断面図である。この変形例は、図２７（ａ）から分かるように、折曲部５１ｂの凹部内に、孔５１ｂ−１を間にして二つの突部５１ｂ−４，５１ｂ−５を形成している。そのため、この変形例の場合にも、軸部５３ａが図２７（ｂ）の紙面に沿って傾く場合には、極めてスムーズに作動し得るようになっている。
【００９０】
このようにして、図２１の状態になったときには、既に、二つの解除部材５１，５２の押動部５１ａ，５２ａと二つの係止部材４５，４６の被押動部４５ｂ，４６ｂとの接触は解かれており、二つの係止部材４５，４６の回転は、各々の被押動部４５ｂ，４６ｂが上地板３６の孔３６ｃ，３６ｄの左縁に当接して停止させられている。この図２１の状態からホールド補助部材５８がさらに時計方向へ回転させられると、ホールド部材５７の方は、鉄片部材５３，５４が上記のように鉄芯部材４７ａ，４８ａに接触したことによって、それ以上回転することができないので、ホールド補助部材５８の当接部５８ａがホールド部材５７の軸５７ａから離れていくことになり、それ以後は、離反ばね６３のほかに連結ばね６２も緊張させていく。
【００９１】
そして、その直後には、ホールド補助部材５８の被係止部５８ｄとレリーズ部材６５の係止部６５ａとの摺接関係が解かれるので、レリーズ部材６５は、図示していないばねの付勢力によって反時計方向へ僅かに回転し、図示していないストッパに当接することによって、ホールド補助部材５８の係止可能状態になる。その係止可能状態になった瞬間が図２２に示されているが、実際には、ホールド補助部材５８はさらに回転させられるので、レリーズ部材６５は、後述するように、セット操作部材４４がセット操作を終了して反時計方向へ復動するとき、その係止部６５ａによって、ホールド補助部材５８の被係止部５８ｄを係止することになる。
【００９２】
他方、図２０の状態から、カメラ本体側の部材によって、セット操作部材４４が時計方向へ回転させられると、セット操作部材４４のローラー４４ｂが、セット部材４３の被押動部４３ａを押し、セット部材４３を、図示していないばねの付勢力に抗して反時計方向へ回転させる。それによって、セット部材４３は、ローラー４３ｂ，４３ｃによって、先羽根用駆動部材４１と後羽根用駆動部材４２のローラー４１ｂ，４２ｂを順に押し、それらの駆動部材４１，４２を、図示していない各々の駆動ばねの付勢力に抗して、時計方向へ回転させることになる。
【００９３】
そこで、先ず、先羽根用駆動部材４１が時計方向へ回転を開始させられると、開口部３１ａの上方位置に格納されていた先羽根の３枚の羽根６８，６９，７０が、隣接する羽根同士の重なり量を小さくしつつ下方へ作動させられていく。そして、先羽根のスリット形成羽根７０と後羽根のスリット形成羽根７５の重なりが所定量に達すると、後羽根用駆動部材４２も時計方向へ回転を開始させられるようになる。そのため、後羽根の３枚の羽根７３，７４，７５は、その時点から隣接する羽根同士の重なり量を小さくしつつ下方へ作動させられる。そして、それ以後は、先羽根と後羽根は、スリット形成羽根同士の重なり量を好適に保ちながら作動を続けていくことになる。
【００９４】
このようにして、セット作動が行われてゆき、先羽根の３枚の羽根６８，６９，７０が展開状態となって開口部３１ａを覆い、後羽根の３枚の羽根７３，７４，７５が重畳状態となって開口部３１ａの下方位置に達した段階になると、先羽根用駆動部材４１の被係止部４１ａが先羽根用係止部材４５の係止部４５ａに接触して、先羽根用係止部材４５を、図示していないばねの付勢力に抗して僅かに時計方向へ回転させ始める。そして、先羽根用駆動部材４１がなおも回転を続けることによってそれらの接触が解かれると、先羽根用係止部材４５は、図示していないばねの付勢力によって反時計方向へ回転させられ、係止部４５ａによる被係止部４１ａの係止可能状態になる。図２３は、その状態を示したものである。
【００９５】
しかも、図２３の状態になる直前には、既に、後羽根用駆動部材４２の被係止部４２ａも後羽根用係止部材４６の係止部４６ａに接触していて、図２３の状態になったときには、後羽根用係止部材４６を、図示していないばねの付勢力に抗して僅かに時計方向へ回転させた状態になっている。そのため、この状態から後羽根用駆動部材４２がなおも時計方向へ回転させられると、被係止部４２ａと係止部４６ａとの接触が解かれることになって、後羽根用係止部材４６は、図示していないばねの付勢力によって反時計方向へ回転させられ、係止部４６ａによる被係止部４２ａの係止可能状態になる。図２４は、その状態を示したものである。
【００９６】
図示していないカメラ本体側の部材によるセット操作部材４４の時計方向への回転力は、セット操作部材４４が図２４の状態になった直後に失われる。そのため、セット部材４３は、図示していないばねの付勢力によって時計方向へ回転し得るようになり、その被押動部４３ａがセット操作部材４４のローラー４４ｂを押して、セット操作部材４４を反時計方向へ回転させていく。そして、後羽根用駆動部材４２が、図示していない後羽根用駆動ばねの付勢力によって追従し、その被係止部４２ａが後羽根用係止部材４６の係止部４６ａによって係止されると、セット部材４３のローラー４３ｃが後羽根用駆動部材４２のローラー４２ｂから離れてゆき、続いて、先羽根用駆動部材４１が、図示していない先羽根用駆動ばねの付勢力によって追従し、その被係止部４１ａが先羽根用係止部材４５の係止部４５ａによって係止されると、セット部材４３のローラー４３ｂも先羽根用駆動部材４１のローラー４１ｂから離れてゆく。
【００９７】
他方、セット操作部材４４が反時計方向へ回転させられていくと、そのローラー４４ｃがホールド補助部材５８の押圧力を解いていく。そのため、ホールド補助部材５８は、連結ばね６２の付勢力と離反ばね６３の付勢力とによって追従し、その被係止部５８ｄがレリーズ部材６５の係止部６５ａによって係止される。しかしながら、その係止状態においては、ホールド補助部材５８の当接部５８ａは、未だホールド部材５７の軸５７ａに接触していない。その後、セット部材４３は、なおもセット操作部材４４を反時計方向へ回転させ、セット操作部材４４が棚板３８の折曲部３８ａに当接すると停止する。図１３及び図１４は、そのようにしてセット作動が完了した状態を示したものであり、この状態が次の撮影の待機状態である。
【００９８】
このように、本実施例は、特許文献１に記載の構成と特許文献２に記載の構成とを備えている係止タイプのフォーカルプレンシャッタに本発明を適用したものであるが、本発明は、特許文献３に記載されている構成をした係止タイプのフォーカルプレンシャッタにも適用することが可能である。
【００９９】
また、本実施例は、本発明を、銀塩フィルムカメラにもデジタルカメラにも採用することのできる二つのシャッタ羽根（先羽根と後羽根）を備えたフォーカルプレンシャッタとして構成したものである。しかしながら、本実施例の構成部材のうち、アーム６６，６７と羽根６８，６９，７０とからなる先羽根と、先羽根用駆動部材４１と、先羽根用係止部材４５と、先羽根用解除部材５１と、先羽根用の電磁石４７とを取り外した構成にすれば、デジタルカメラにだけ採用することの可能な一つのシャッタ羽根を備えたフォーカルプレンシャッタとすることができる。
【図面の簡単な説明】
【０１００】
【図１】露光作動を開始する直前の状態を示した実施例１の平面図である。
【図２】図１の状態における先羽根用駆動部材の拡大平面図である。
【図３】先羽根用駆動部材を図２の右側から見て一部を省略して示した側面図である。
【図４】実施例１の先羽根用駆動部材に取り付けられているカラー部材を示したものであって、図４（ａ）は平面図であり、図４（ｂ）は図４（ａ）のＡ−Ａ線断面図である。
【図５】実施例１の先羽根用駆動部材に対するカラー部材と鉄片部材の取付け状態を示した斜視図であり、図５（ａ）は、鉄片部材の鍔部側から見た図であり、図５（ｂ）は、鉄片部材の鉄片部側から見た図である。
【図６】露光作動の終了直後の状態を示した実施例１の平面図である。
【図７】セット状態を示した実施例１の平面図である。
【図８】実施例１の先羽根用駆動部材に取り付けられている鉄片部材の軸部が傾いた状態を示したものであって、図８（ａ）は図２に示された状態から反時計方向へ傾いた状態を示したものであり、図８（ｂ）は図２に示された状態から時計方向へ傾いた状態を示したものである。
【図９】実施例１の先羽根用駆動部材に取り付けられている鉄片部材の軸部が傾いた状態を示したものであって、図９（ａ）は図３に示された状態から反時計方向へ傾いた状態を示したものであり、図９（ｂ）は図３に示された状態から時計方向へ傾いた状態を示したものである。
【図１０】図４に示されたカラー部材の変形例を示したものであって、図１０（ａ）は平面図であり、図１０（ｂ）は図１０（ａ）のＢ−Ｂ線断面図である。
【図１１】図２に示されている先羽根用駆動部材６の変形例を、図２と同様にして示した平面図である。
【図１２】図１１の右側から見て一部を省略して示した側面図である。
【図１３】セット状態における開閉駆動機構を示した実施例２の平面図である。
【図１４】セット状態における係止解除機構を示した実施例２の平面図である。
【図１５】図１４に示されている係止解除機構の一部を拡大して示した側面図である            。
【図１６】図１４と同様に見て示した実施例２の平面図であって、図１４の状態からホールド部材による二つの解除部材の保持力を解いた状態を示したものである。
【図１７】図１４と同様に見て示した実施例２の平面図であって、図１６の状態から先羽根用駆動部材の係止を解除した状態を示したものである。
【図１８】図１３と同様に見て示した実施例２の平面図であって、先羽根の開き作動が完了した状態を示したものである。
【図１９】図１４と同様に見て示した実施例２の平面図であって、図１７の状態から後羽根用駆動部材の係止を解除した状態を示したものである。
【図２０】図１３と同様に見て示した実施例２の平面図であって、後羽根の閉じ作動が完了した状態を示したものである。
【図２１】図１４と同様に見て示した実施例２の平面図であって、図２０の状態のあとセット作動が開始された直後の状態を示したものである。
【図２２】図１４と同様に見て示した実施例２の平面図であって、図２１の状態のあとホールド部材が二つの解除部材の保持状態に係止された状態を示したものである。
【図２３】図１３と同様に見て示した実施例２の平面図であって、先羽根と後羽根が図２０の状態からセット作動させられ、先羽根用駆動部材が先羽根用係止部材によって係止され得るようになった状態を示したものである。
【図２４】図１３と同様に見て示した実施例２の平面図であって、図２３の状態のあと、後羽根用起動部材が後羽根用係止部材によって係止され得るようになった状態を示したものである。
【図２５】実施例２の先羽根用解除部材に取り付けられている鉄片部材の軸部が傾いた状態を示した平面図であって、図２５（ａ）は図１４に示された状態において反時計方向へ傾かされた状態を示したものであり、図２５（ｂ）は図１４に示された状態において時計方向へ傾かされた状態を示したものである。
【図２６】実施例２の先羽根用解除部材に取り付けられている鉄片部材の軸部が傾いた状態を、図１４の下方から見て示した断面図であって、図２６（ａ）は反時計方向へ傾かされた状態を示したものであり、図２６（ｂ）は時計方向へ傾かされた状態を示したものである。
【図２７】図２５及び図２６に示されている先羽根用解除部材の変形例を示したものであって、図２７（ａ）はその平面図であり、図２７（ｂ）は断面図である。
【符号の説明】
【０１０１】
１，３１                            シャッタ地板
１ａ，３１ａ，３２ａ，３３ａ，３１ｂ，３１ｃ  開口部
１ｂ，１ｃ，１５ａ，２１ａ，３１ｂ，３１ｃ  長孔
１ｄ，１ｅ，１ｆ，１ｇ，１ｈ，１ｉ，３１ｄ，３１ｅ，３１ｆ，３１ｇ，３１ｈ，３１ｉ，３１ｊ，３１ｋ，３１ｍ，３６ａ，３６ｂ，３６ｈ，３６ｉ，３８ｂ，５７ａ，５７ｂ  軸
２，３，３４，３５                  緩衝部材
４，５，４７ａ，４８ａ              鉄芯部材
６，４１                            先羽根用駆動部材
６ａ，１０ａ，１４ａ                筒部
６ｂ，１０ｂ，３１ｃ，４２ｃ        駆動ピン
６ｃ，１０ｃ                        取付部
６ｃ−１，                          収容室
６ｃ−２，５１ｂ−１                取付孔
６ｃ−３，７ａ，７´ａ，３６ｃ，３６ｄ，５１ｂ−３，５５ａ  孔
６ｃ−４，５１ｂ−２                円弧面
６ｃ−５，６ｃ−６，５１ｂ−４，５１ｂ−５  突部
６ｄ，４１ｂ，４２ｂ，４３ｂ，４３ｃ，４４ａ，４４ｂ，４４ｃ  ローラー
７，７´，１１，５５，５６          カラー部材
７ｂ，７´ｂ，５５ｂ                弧状部
７ｃ，７´ｃ，３６ｅ，３６ｆ，３８ａ，５１ｂ，５２ｂ，５５ｃ，５８ｂ，５８ｃ  折曲部
８，１２，５３，５４                鉄片部材
８ａ，１２ａ，５３ａ                軸部
８ｂ．１２ｂ，５３ｂ                鉄片部
８ｃ，１２ｃ，５３ｃ                鍔部
９，１３                            圧縮ばね
１０，４２                          後羽根用駆動部材
１０ｄ，１４ｄ，４３ａ，４５ｂ，４６ｂ，５３ｄ，５４ｄ  被押動部
１４，４３                          セット部材
１４ｂ，１４ｃ，５１ａ，５２ａ      押動部
１５，１６，２１，２２，６６，６７，７１，７２  アーム
１７，１８，１９，２０，２３，２４，２５，２６，６８，６９，７０，７３，７４，７５  羽根
３２                                中間板
３３                                補助地板
３６                                上地板
３７                                カバー板
３７ａ                              抑止部
３７ｂ，５７ｃ                      ストッパ部
３８                                棚板
３９，４０，４９，５０              ビス
４１ａ，４２ａ，５８ｄ              被係止部
４４                                セット操作部材
４５                                先羽根用係止部材
４５ａ，４６ａ，６５ａ              係止部
４６                                後羽根用係止部材
４７，４８                          電磁石
４７ｂ，４８ｂ                      コイル
４７ｃ，４８ｃ                      ボビン
５１                                先羽根用解除部材
５２                                後羽根用解除部材
５７                                ホールド部材
５８                                ホールド補助部材
５８ａ，６４ｃ                      当接部
５９                                管軸部材
６０                                筒状部材
６１                                ワッシャ
６２                                連結ばね
６３                                離反ばね
６４                                押圧部材
６４ａ，６４ｂ                      押圧片
６５                                レリーズ部材
６５ｂ                              操作部
【図１】
0004628387.tif 000002
【図２】
0004628387.tif 000003
【図３】
0004628387.tif 000004
【図４】
0004628387.tif 000005
【図５】
0004628387.tif 000006
【図６】
0004628387.tif 000007
【図７】
0004628387.tif 000008
【図８】
0004628387.tif 000009
【図９】
0004628387.tif 000010
【図１０】
0004628387.tif 000011
【図１１】
0004628387.tif 000012
【図１２】
0004628387.tif 000013
【図１３】
0004628387.tif 000014
【図１４】
0004628387.tif 000015
【図１５】
0004628387.tif 000016
【図１６】
0004628387.tif 000017
【図１７】
0004628387.tif 000018
【図１８】
0004628387.tif 000019
【図１９】
0004628387.tif 000020
【図２０】
0004628387.tif 000021
【図２１】
0004628387.tif 000022
【図２２】
0004628387.tif 000023
【図２３】
0004628387.tif 000024
【図２４】
0004628387.tif 000025
【図２５】
0004628387.tif 000026
【図２６】
0004628387.tif 000027
【図２７】
0004628387.tif 000028